(57)【要約】【課題】      簀の子の中に保冷材が収納しやすく、保冷材の移動を防ぐようにした保冷箱用簀の子を提供することである。【解決手段】  保冷箱用簀の子１は下部ケ−ス１′と上部ケ−ス１″を開口の周縁部１ａ、１ｂを重ねてヒンジ部１ｃで開閉自在に連結されている。  下部ケ−ス１′の下面部１ｄに格子状に複数の透孔１ｅが穿設され、上部ケ−ス１″の上面部１ｆに格子状に複数の透孔１ｇが穿設されている。  下部ケ−ス１′と上部ケ−ス１″の内部には突部１ｈ、１ｉで２つの空間部Ａ、Ｂが構成されて２つの空間部Ａ、Ｂには、常温でゼリ−状の水溶性合成樹脂からなる保冷材３が包装材４で密封されて入れられている。【選択図】        図５
2008032360.tif 000002
【特許請求の範囲】
【請求項１】
内部に保冷材を収納する空間部を形成したことを特徴とする保冷箱用簀の子。
【請求項２】
上面部と下面部が向い合わせ状に重合されて空間部が形成されていると共に上面部と下面部を開いて空間部に保冷材を収納可能としたことを特徴とする請求項１記載の保冷箱用簀の子。
【請求項３】
上面部と下面部は周縁部と空間にて互いに当接する突部が形成されていることを特徴とする請求項１または２記載の保冷箱用簀の子。
【発明の詳細な説明】
【技術分野】
【０００１】
本発明は、釣場に携行する保冷箱の中に収納する保冷箱用簀の子に関する。
【背景技術】
【０００２】
従来釣場に携行する保冷箱の中に収納する保冷箱用簀の子として特許文献１のように氷の上に載せるスノコがある。
特許文献１で氷とスノコの間には氷を係止するものがないので、氷が動いて保冷箱の重心が移動して保冷箱をベルトで肩に掛けて移動する時、運び難く、保冷箱が破損するおそれがある。
従来常温でゼリ−状の水溶性合成樹脂からなる保冷剤を冷凍庫で冷やして固めて使用する保冷材を保冷箱の中に個別に収納して使用した場合も同様である。
【特許文献１】実開平５−６８２７７号公報
【発明の開示】
【発明が解決しようとする課題】
【０００３】
解決しようとする問題点は、保冷箱の中で保冷材が移動するので、保冷箱の重心が移動して保冷箱をベルトで肩に掛けて移動する時、運び難いことである。
【０００４】
本発明の目的は前記欠点に鑑み、簀の子の中に保冷材が収納しやすく、保冷材の移動を防ぐようにした保冷箱用簀の子を提供することである。
【課題を解決するための手段】
【０００５】
本発明の請求項１は、内部に保冷材を収納する空間部を形成したことを要旨とするものである。
本発明の請求項２は、上面部と下面部が向い合わせ状に重合されて空間部が形成されていると共に上面部と下面部を開いて空間部に保冷材を収納可能としたことを要旨とするものである。
本発明の請求項３は、上面部と下面部は周縁部と空間にて互いに当接する突部が形成されていることを要旨とするものである。
【発明の効果】
【０００６】
本発明により、簀の子の中に保冷材が収納しやすく、保冷材の移動を防ぐと共に保冷材の外側に簀の子があるので保冷材の接触による魚の変色を防止できる。
【発明を実施するための最良の形態】
【０００７】
保冷箱用簀の子１は皿状の下部ケ−ス１′と皿状の上部ケ−ス１″を開口の周縁部１ａ、１ｂを重ねてヒンジ部１ｃで開閉自在に連結されている。
下部ケ−ス１′の下面部１ｄに格子状に複数の透孔１ｅが穿設され、上部ケ−ス１″の上面部１ｆに格子状に複数の透孔１ｇが穿設されている。
下部ケ−ス１′と上部ケ−ス１″の内部には左右を２分する中仕切りからなる突部１ｈ、１ｉが設けられて２つの空間部Ａ、Ｂが構成されている。
２分された下部ケ−ス１′と上部ケ−ス１″の内部には夫々中心位置に支柱からなる突部１ｊ、１ｋ、１ｍ、１ｎが設けられて上部ケ−ス１″の上面部１ｆ上に収穫物を載せても撓まないように補強されている。
下部ケ−ス１′と上部ケ−ス１″の内部の２つの空間部Ａ、Ｂには、常温でゼリ−状の水溶性合成樹脂からなる保冷材３を冷凍庫で冷やして固めて使用する保冷材３が包装材４で密封されて入れられている。
【実施例１】
【０００８】
以下、図示の一実施例によって本発明を説明すると、図１は保冷箱と簀の子の断面側面図、図２は保冷箱用簀の子の正面図、図３は図２のＦ３−Ｆ３断面線の断面側面図と一部拡大断面側面図、図４は図２のＦ４−Ｆ４断面線の断面側面図と一部拡大断面側面図、図５は保冷箱用簀の子の断面正面図、図６は保冷箱用簀の子の平面図、図７は簀の子の下部ケ−スと上部ケ−スを閉じた斜視図、図８は簀の子の上部ケ−スを開いた斜視図である。
【０００９】
保冷箱用簀の子１は皿状の下部ケ−ス１′と皿状の上部ケ−ス１″を開口の周縁部１ａ、１ｂを重ねてヒンジ部１ｃで開閉自在に連結されている。
下部ケ−ス１′の下面部１ｄに格子状に複数の透孔１ｅが穿設され、上部ケ−ス１″の上面部１ｆに格子状に複数の透孔１ｇが穿設されている。
下部ケ−ス１′と上部ケ−ス１″の内部には左右を２分する中仕切りからなる突部１ｈ、１ｉが設けられて２つの空間部Ａ、Ｂが構成されている。（図８では上部ケ−ス１″の突部１ｉが省略されている。）
２分された下部ケ−ス１′と上部ケ−ス１″の内部には夫々中心位置に支柱からなる突部１ｊ、１ｋ、１ｍ、１ｎが設けられて上部ケ−ス１″の上面部１ｆ上に収穫物を載せても撓まないように補強されている。
【００１０】
下部ケ−ス１′の前面左右には、下部ケ−ス１′と上部ケ−ス１″の閉じた状態をロックする係止具２、２を保持する突堤１ｏ、１ｐが設けられている。
突堤１ｏ、１ｐの間には係止具２、２が度当りする突堤１ｏ、１ｐの奥行きより前面に突出した突堤１ｑが設けられている。
上部ケ−ス１″の前面には左右に夫々係止具２、２の幅より幅広い突堤１ｒ、１ｓが設けられている。
突堤１ｒ、１ｓの内側には係止具２、２の幅より幾分広い空間１ｔ、１ｕが設けられ、その間に下部ケ−ス１′の突堤１ｑと同じ寸法の突堤１ｖが設けられている。
突堤１ｏ、１ｐの下面と上面には夫々図３、図４のように鈎溝１ｗ、１ｘが形成されている。
上部ケ−ス１″の突堤１ｒ、１ｓには逃げ溝１ｙ、１ｚが形成されている。
【００１１】
係止具２、２はＥ字状に形成されて下片２ａは下部ケ−ス１′の突堤１ｏ、１ｐの下面に当接すると共に鈎部２ｂが形成されて鈎溝１ｗに横行自在に嵌められている。
係止具２、２の上片２ｃは上部ケ−ス１″の突堤１ｒ、１ｓの上面に載るように形成されている。
係止具２、２の中片２ｄは下部ケ−ス１′の突堤１ｏ、１ｐの上面に載るように形成されると共に鈎部２ｅが形成されて鈎溝１ｘに横行自在に嵌められている。
逃げ溝１ｙ、１ｚは中片２ｄの逃げ溝である。
【００１２】
下部ケ−ス１′と上部ケ−ス１″の内部の２つの空間部Ａ、Ｂには、常温でゼリ−状の水溶性合成樹脂からなる保冷材３を冷凍庫で冷やして固めて使用する保冷材３が包装材４で密封されて入れられている。
保冷材３の包装材４の中央には透孔４ａが形成されている。
透孔４ａには支柱からなる突部１ｊ、１ｋ、１ｍ、１ｎが上下から挿入され、より保冷材の動きが規制される。
保冷箱用簀の子１は保冷箱５の中に収納される。
保冷箱用簀の子１は保冷箱５の中の底部に直接置いてもよいし図示のように台部６の上に載せてもよい。
台部６は底部に適宜固定されている。
なお、突部１ｊ、１ｋ、１ｍ、１ｎによってケ−ス１内部の空間部Ａ、Ｂの上下に渡たる支柱が形成されているため保冷材を収納しない場合でも保冷箱用簀の子１のつぶれが防止される。
また、保冷材３は透孔４ａを設けず、空間部Ａ、Ｂにそれぞれ２個ずつに分割した大きさの保冷材を収納してもよい。
【００１３】
保冷箱用簀の子１の下部ケ−ス１′に対して上部ケ−ス１″を開く時は、係止具２、２を中央側に寄せることで係止具２、２と上部ケ−ス１″の突堤１ｒ、１ｓとの係止が解除されて係止具２、２の上片２ｃが空間１ｔ、１ｕに位置するので開くことが出来る。
係止機構は他の係止機構を組み込んでもよい。
下部ケ−ス１′と上部ケ−ス１″はヒンジ部を設けず、前面と裏面に同じ係止機構を設けて係止してもよい。
【００１４】
前記のように保冷箱用簀の子が構成されると、簀の子１の中に保冷材３が収納しやすく、保冷材３の移動を防ぐと共に保冷材３の外側に簀の子があるので魚と保冷材３が直接接触することが防止され、保冷材３との接触による魚の変色が防止される。
なお、突部１ｊ、１ｋ、１ｍ、１ｎを形成しなくてもよく、この場合は透孔４ａを有しない保冷材を収納できる。
【産業上の利用可能性】
【００１５】
前記説明では、保冷箱用簀の子の全般に利用できる。
【図面の簡単な説明】
【００１６】
【図１】保冷箱と簀の子の断面側面図である。
【図２】保冷箱用簀の子の正面図である。
【図３】図２のＦ３−Ｆ３断面線の断面側面図と一部拡大断面側面図である。
【図４】図２のＦ４−Ｆ４断面線の断面側面図と一部拡大断面側面図である。
【図５】保冷箱用簀の子の断面正面図である。
【図６】保冷箱用簀の子の平面図である。
【図７】簀の子の下部ケ−スと上部ケ−スを閉じた斜視図である。
【図８】簀の子の上部ケ−スを開いた斜視図である。
【符号の説明】
【００１７】
１  保冷箱用簀の子
１′  下部ケ−ス
１″  上部ケ−ス
１ａ、１ｂ  周縁部
１ｄ  下面部
１ｆ  上面部
１ｈ、１ｉ、１ｊ、１ｋ、１ｍ、１ｎ  突部
３  保冷材
Ａ、Ｂ  空間部
【図１】
2008032360.tif 000003
【図２】
2008032360.tif 000004
【図３】
2008032360.tif 000005
【図４】
2008032360.tif 000006
【図５】
2008032360.tif 000007
【図６】
2008032360.tif 000008
【図７】
2008032360.tif 000009
【図８】
2008032360.tif 000010